【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
表示制御部から送出される信号を受けて該信号によって表される表示データに対応する表示を行う表示装置であって、
表示素子と、
前記表示素子を駆動する駆動手段と、
前記表示制御部から送出される信号を非接触により電磁波信号として受信する無線受信部と、
前記無線受信部で受信した該電磁波信号から当該表示データを再生し該再生された表示データを前記駆動手段に供給する復調手段と、
前記表示素子と前記駆動手段と前記復調手段とに供給される電気エネルギーを無接点で受電する電源受電部とを有することを特徴とする表示装置。
【請求項２】
前記無線受信部は、当該無線受信部の導体を含んで構成される部位に対向して対をなす送信用素子から該送信用素子に供給される当該表示データに係る変調信号を受信するように配されていることを特徴とする請求項１に記載の表示装置。
【請求項３】
前記無線受信部は、当該対をなす前記送信用素子と共に、所定の導体によって取り囲まれていることを特徴とする請求項２に記載の表示装置。
【請求項４】
前記無線受信部の少なくとも一部を構成する導体と、前記表示素子、前記駆動手段または前記電源受電部の少なくとも１つが同一の基板上に形成されることを特徴とする請求項１乃至３の何れか一項に記載の表示装置。
【請求項５】
前記無線受信部の少なくとも一部を構成する導体は、前記電源受電部を構成する回路を集積する集積回路基板と同一の基板上に集積されていることを特徴とする請求項１乃至４の何れか一項に記載の表示装置。
【請求項６】
前記無線受信部と、当該無線受信部の導体を含んで構成される部位に対向して対をなす送信用素子とは、非接触で電磁波信号の伝達を行う結合部を構成し、
前記結合部は、電気エネルギーを電磁誘導によって伝達するインダクタンス素子を含むことを特徴とする請求項１乃至５の何れか一項に記載の表示装置。
【請求項７】
表示信号を生成する表示信号生成部と、
前記表示信号生成部によって生成された表示信号に基づいて表示体に表示を行う表示部と、
前記表示信号生成部によって生成される表示信号を前記表示部に伝送する伝送経路に介挿された結合部と、を有する電子機器であって、
前記結合部は、
前記表示信号生成部の回路または該回路が配された基板と一体的に構成され当該表示信号を無線で送出する無線送信部と、
前記表示部の表示体または該表示体を駆動する駆動回路が配された基板と一体的に構成され前記無線送信部から無線で送出された表示信号を受信する無線受信部と、
を有することを特徴とする電子機器。
【請求項８】
前記結合部の無線送信部は、当該表示信号に応じて変調された搬送信号を生成する送信用変調回路部の出力が供給されて電磁波を放射する送信アンテナとしてまたは誘導結合するインダクタンス素子もしくは静電結合する容量素子として機能する送信用素子を有し、
前記結合部の無線受信部は、前記送信用素子から放射された電磁波を受けて当該受けた電磁波による表示信号を復調する復調回路に供給する受信用素子を有することを特徴とする請求項７に記載の電子機器。
【請求項９】
前記結合部の送信用素子は所定形状をなす導体を含み、前記送信用素子は前記表示信号生成部が配置された基板上に設けられ、
前記結合部の受信用素子は所定形状をなす導体を含み、前記受信用素子は前記表示部の表示体を駆動する駆動回路が配置された基板上に設けられていることを特徴とする請求項７または８に記載の電子機器。
【請求項１０】
前記結合部の送信用素子は所定形状をなす導体を含み、前記送信用素子は前記表示信号生成部が配置された基板上に設けられ、
前記結合部の受信用素子は、前記表示部の表示体が配置された基板上の半導体集積回路内に形成されていることを特徴とする請求項８または９に記載の電子機器。
【請求項１１】
前記結合部の送信用素子の少なくとも一部および受信用素子の少なくとも一部は、前記送信用素子と前記受信用素子との間で送受信する当該電磁波の波長の２π分の１の半径を有する球内に収まるように設けられていることを特徴とする請求項８乃至１０の何れか一項に記載の電子機器。
【請求項１２】
前記表示信号生成部が配置された基板側に設けられている電源供給機能を有する回路から前記表示部側に相互誘導によって非接触で電力を供給する配電用結合部が、更に設けられていることを特徴とする請求項８乃至１１の何れか一項に記載の電子機器。
【請求項１３】
送信データをＵＷＢ変調して電磁波信号に変換し送出するＵＷＢ変調部と、
該ＵＷＢ変調部が送出した前記電磁波信号を電磁波として放射する放射部と、
前記放射部により放射された前記電磁波のエネルギーを受信する受信部と、
該受信部で受信した前記電磁波信号をＵＷＢ復調するＵＷＢ復調部を有する電子機器であって、
前記放射部と前記受信部はその最短距離が、前記放射部によって放射される前記電磁波信号の最大の波長の２π（πは円周率）分の１以下であることを特徴とする電子機器。
【請求項１４】
表示信号を生成する表示信号生成部と、
前記表示信号生成部によって生成された表示信号に基づいて表示体に表示を行う表示部と、
前記表示信号生成部によって生成される表示信号を前記表示部に伝送する伝送経路に介挿された結合部とを有する電子機器であって、
前記結合部は、前記表示信号生成部からの前記表示信号を無線で送出するための送信用素子および半導体集積基板を含む無線送信部と、前記無線送信部から無線で送出された前記表示信号を受信するための受信用素子および半導体集積基板を含む無線受信部と、を有し、
前記送信用素子および受信用素子の何れか一方または双方は、各自己が対応する前記半導体集積基板上に形成されていることを特徴とする電子機器。
【請求項１５】
表示信号を生成する表示信号生成部と、
前記表示信号生成部によって生成された表示信号に基づいて基板上に形成された表示体に表示を行う表示部と、
前記表示信号生成部によって生成される表示信号を前記表示部に伝送する伝送経路に介挿された結合部とを有する電子機器であって、
前記結合部は、前記表示信号生成部からの当該表示信号を無線で送出するための送信用素子を含む無線送信部と、前記無線送信部から無線で送出された表示信号を受信するための受信用素子を含む無線受信部と、を有し、
前記受信用素子は前記基板上に形成されていることを特徴とする電子機器。
【手続補正２】
【補正対象書類名】明細書
【補正対象項目名】００１５
【補正方法】変更
【補正の内容】
【００１５】
上記課題を解決するべく、本願では次に列記するような技術を提案する。
（１）表示制御部から送出される信号を受けて該信号によって表される表示データに対応する表示を行う表示装置であって、
表示素子と、
前記表示素子を駆動する駆動手段と、
前記表示制御部から送出される信号を非接触により電磁波信号として受信する無線受信部と、
前記無線受信部で受信した該電磁波信号から当該表示データを再生し該再生された表示データを前記駆動手段に供給する復調手段と、
前記表示素子と前記駆動手段と前記復調手段とに供給される電気エネルギーを無接点で受電する電源受電部とを有することを特徴とする表示装置。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
（２）前記無線受信部は、この無線受信部の導体を含んで構成される部位に対向して対をなす送信用素子から該送信用素子に供給される当該表示データに係る変調信号を受信するように配されていることを特徴とする（１）の表示装置。
上記（２）の表示装置では、（１）の表示装置において特に、表示データの伝送に係る無線結合は対向する一対の素子間で行われるため、この部分で結合に必要な電磁波エネルギーは極小でありまた漏洩する電磁はエネルギーも小さい。そのため、機器に与える影響も最小とすることが可能となる。
【手続補正５】
【補正対象書類名】明細書
【補正対象項目名】００１９
【補正方法】変更
【補正の内容】
【００１９】
（３）前記無線受信部は、当該対をなす前記送信用素子と共に、所定の導体によって取り囲まれていることを特徴とする（２）の表示装置。
上記（３）の表示装置では、（２）の表示装置において特に、表示データの伝送のための無線結合に係る対をなす素子が他の所定の導体によって取り囲まれる構造をとるため該所定の導体によるシールド効果により、機器に与える影響および機器から受ける影響も最小とすることが可能となる。
【手続補正６】
【補正対象書類名】明細書
【補正対象項目名】００２０
【補正方法】変更
【補正の内容】
【００２０】
（４）前記無線受信部の少なくとも一部を構成する導体と、前記表示素子、前記駆動手段または前記電源受電部の少なくとも１つが同一の基板上に形成されることを特徴とする（１）乃至（３）の何れか一の表示装置。
上記（４）の表示装置では、（１）乃至（３）の何れか一の表示装置において特に、無線受信部の少なくとも一部を構成する導体が、表示装置を構成する構成要素を搭載する基板上に、一体的に組み込まれる。これによって表示データの伝送のための無線結合に係る機能部のスペースを大幅に節減でき機器の小型化に効果がある。特に、この導体を復調手段を搭載する半導体集積回路基板上に構成した場合には一層小型化および信頼性の向上、部品コストの節減に効果がある。
【手続補正７】
【補正対象書類名】明細書
【補正対象項目名】００２１
【補正方法】変更
【補正の内容】
【００２１】
（５）前記無線受信部の少なくとも一部を構成する導体は、前記電源受電部を構成する回路を集積する集積回路基板と同一の基板上に集積されていることを特徴とする（１）乃至（４）の何れか一の表示装置。
上記（５）の表示装置では、（１）乃至（４）の何れか一の表示装置において特に、無線受信部の少なくとも一部を構成する導体は、電源受電部を構成する回路を集積する集積回路基板と同一の基板上に集積されているため、部品点数や集積回路との接続ピン数が削減され小型化、信頼性の向上、更に性能向上が図られる。
【手続補正８】
【補正対象書類名】明細書
【補正対象項目名】００２２
【補正方法】変更
【補正の内容】
【００２２】
（６）前記無線受信部と、当該無線受信部の導体を含んで構成される部位に対向して対をなす送信用素子とは、非接触で電磁波信号の伝達を行う結合部を構成し、
前記結合部は電気エネルギーを電磁誘導によって伝達するインダクタンス素子を含むことを特徴とする（１）乃至（５）の何れか一の表示装置。
上記（６）の表示装置では、（１）乃至（５）の何れか一の表示装置において特に、表示データの伝送のための無線結合に係る機能部は電気エネルギーを電磁誘導によって伝達するためのインダクタンス素子を含みこれによって電源供給も可能となる。このインダクタンス素子は信号伝達と共用が可能でありしかも両者の影響は排除することが可能であり、少ない構成部品で無線結合部を構成することができる。これによって、機器の小型化が実現でき、機器のデザインの自由度を増す効果がある。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】変更
【補正の内容】
【００２４】
（７）表示信号を生成する表示信号生成部と、
前記表示信号生成部によって生成された表示信号に基づいて表示体に表示を行う表示部と、
前記表示信号生成部によって生成される表示信号を前記表示部に伝送する伝送経路に介挿された結合部と、を有する電子機器であって、
前記結合部は、
前記表示信号生成部の回路または該回路が配された基板と一体的に構成され当該表示信号を無線で送出する無線送信部と、
前記表示部の表示体または該表示体を駆動する駆動回路が配された基板と一体的に構成され前記無線送信部から無線で送出された表示信号を受信する無線受信部と、
を有することを特徴とする電子機器。
【手続補正１１】
【補正対象書類名】明細書
【補正対象項目名】００２５
【補正方法】変更
【補正の内容】
【００２５】
上記（７）の電子機器では、該電子機器本体側の表示信号生成部で生成された表示信号を無線送信部と無線受信部とを含んで構成されている結合部を通して電気的な接触機構を介さずに表示部側に伝送し、該表示部側の表示体に表示信号に基づく表示を行なうことができる。このため、従来のコネクタに起因する信頼性や耐久性等々の課題を一掃することができ、更には、機器デザインの自由度が向上する。
【手続補正１２】
【補正対象書類名】明細書
【補正対象項目名】００２６
【補正方法】変更
【補正の内容】
【００２６】
（８）前記結合部の無線送信部は、当該表示信号に応じて変調された搬送信号を生成する送信用変調回路部の出力が供給されて電磁波を放射する送信アンテナとしてまたは誘導結合するインダクタンス素子もしくは静電結合する容量素子として機能する送信用素子を有し、
前記結合部の無線受信部は、前記送信用素子から放射された電磁波を受けて当該受けた電磁波による表示信号を復調する復調回路に供給する受信用素子を有することを特徴とする（７）の電子機器。
【手続補正１３】
【補正対象書類名】明細書
【補正対象項目名】００２７
【補正方法】変更
【補正の内容】
【００２７】
上記（８）の電子機器では、（７）の電子機器において特に、上述の結合部は、その無線送信部が、当該表示信号に応じて変調された搬送信号を生成する送信用変調回路部の出力が給電されて電磁波を放射する送信アンテナとしてまたは誘導結合するインダクタンス素子もしくは静電結合する容量素子として機能する送信用素子を有し、且つ、その受信部が該送信用素子から放射された電磁波を受けて当該受けた電磁波による表示信号を復調する復調回路に供給する受信用素子を有して構成されているため、結合部における表示信号の授受が無線によって達成される。
【手続補正１４】
【補正対象書類名】明細書
【補正対象項目名】００２８
【補正方法】変更
【補正の内容】
【００２８】
（９）前記結合部の送信用素子は所定形状をなす導体を含み、前記送信用素子は前記表示信号生成部が配置された基板上に設けられ、
前記結合部の受信用素子は所定形状をなす導体を含み、前記受信用素子は前記表示部の表示体を駆動する駆動回路が配置された基板上に設けられていることを特徴とする（７）または（８）の電子機器。
【手続補正１５】
【補正対象書類名】明細書
【補正対象項目名】００２９
【補正方法】変更
【補正の内容】
【００２９】
上記（９）の電子機器では、（７）または（８）の電子機器において特に、結合部の、送信用素子は、表示信号生成部が配置された基板上に所定形状の導体を含むようにして設けられ、且つ、受信用素子は、表示部の表示体を駆動する駆動回路が配置された基板上に所定形状の導体を含むようにして設けられているため、結合部の双方の無線送受信用素子として機能する導体を設置するための別途の基板等を要することなく構成の簡素化が図られる。また、送信用素子と受信用素子は各専用の導体パターンを有して構成されているため、集積回路内に設けた場合に比し効率が良い。
【手続補正１６】
【補正対象書類名】明細書
【補正対象項目名】００３０
【補正方法】変更
【補正の内容】
【００３０】
（１０）前記結合部の送信用素子は所定形状をなす導体を含み、前記送信用素子は前記表示信号生成部が配置された基板上に設けられ、
前記結合部の受信用素子は、前記表示部の表示体が配置された基板上の半導体集積回路内に形成されていることを特徴とする（８）または（９）の電子機器。
上記（１０）の電子機器では、（８）または（９）の何れか一の電子機器において特に、結合部の、送信用素子は、表示信号生成部が配置された基板上に所定形状の導体含むようにして設けられ、一方、受信用素子は、表示部の表示体が配置された基板上の半導体集積回路内に形成されているため、表示部側が特に小型化、簡素化が図られる。
【手続補正１７】
【補正対象書類名】明細書
【補正対象項目名】００３１
【補正方法】変更
【補正の内容】
【００３１】
（１１）前記結合部の送信用素子の少なくとも一部および受信用素子の少なくとも一部は、前記送信用素子と前記受信用素子との間で送受信する当該電磁波の波長の２π分の１の半径を有する球内に収まるように設けられていることを特徴とする（８）乃至（１０）の何れか一の電子機器。
上記（１１）の電子機器では、（８）乃至（１０）の何れか一の電子機器において特に、結合部の送信用素子および受信用素子それぞれの少なくとも一部は、これら双方で送受信する当該電磁波の波長の２π分の１の半径を有する球内に収まるように配置されているため、誘導界や静電界によるエネルギー伝達の割合が大幅に増加して送受信間でのエネルギーの損失率が低減し、相応に高効率の信号転送が実現される。
【手続補正１８】
【補正対象書類名】明細書
【補正対象項目名】００３２
【補正方法】変更
【補正の内容】
【００３２】
（１２）前記表示信号生成部が配置された基板側に設けられている電源供給機能を有する回路から前記表示部側に相互誘導によって非接触で電力を供給する配電用結合部が、更に設けられていることを特徴とする（８）乃至（１１）の何れか一の電子機器。
上記（１２）の電子機器では、（８）乃至（１１）の何れか一の電子機器において特に、表示部での表示を行なうための表示信号のみならず、作動用電力までもが配電用結合部によって非接触で供給されるため、所謂完全なコネクタレスの構成をとることができる。
【手続補正１９】
【補正対象書類名】明細書
【補正対象項目名】００３３
【補正方法】変更
【補正の内容】
【００３３】
（１３）送信データをＵＷＢ変調して電磁波信号に変換し送出するＵＷＢ変調部と、
該ＵＷＢ変調部が送出した前記電磁波信号を電磁波として放射する放射部と、
前記放射部により放射された前記電磁波のエネルギーを受信する受信部と、
該受信部で受信した前記電磁波信号をＵＷＢ復調するＵＷＢ復調部を有する電子機器であって、
前記放射部と前記受信部はその最短距離が、前記放射部によって放射される前記電磁波信号の最大の波長の２π（πは円周率）分の１以下であることを特徴とする電子機器。
【手続補正２０】
【補正対象書類名】明細書
【補正対象項目名】００３４
【補正方法】変更
【補正の内容】
【００３４】
上記（１３）の電子機器では、送信データをＵＷＢ変調して電磁波信号に変換し送出するＵＷＢ変調部と、該ＵＷＢ変調部信号を電磁波として放射する放射部と、放射部により放射された電磁波エネルギーを受信する受信部と、該受信部で受信した信号をＵＷＢ復調して復調するＵＷＢ復調部を含む構成において、放射部と受信部はその最短距離が放射部によって放射される電磁波信号の最大の波長の２π（πは円周率）分の１以下であるため、誘導界や静電界によるエネルギー伝達の割合が大幅に増加して送受信間でのエネルギーの損失率が低減し、相応に高効率の信号転送が実現される。
【手続補正２１】
【補正対象書類名】明細書
【補正対象項目名】００３５
【補正方法】変更
【補正の内容】
【００３５】
（１４）表示信号を生成する表示信号生成部と、
前記表示信号生成部によって生成された表示信号に基づいて表示体に表示を行う表示部と、
前記表示信号生成部によって生成される表示信号を前記表示部に伝送する伝送経路に介挿された結合部とを有する電子機器であって、
前記結合部は、前記表示信号生成部からの前記表示信号を無線で送出するための送信用素子および半導体集積基板を含む無線送信部と、前記無線送信部から無線で送出された表示信号を受信するための受信用素子および半導体集積基板を含む無線受信部と、を有し、
前記送信用素子および受信用素子の何れか一方または双方は、各自己が対応する前記半導体集積基板上に形成されていることを特徴とする電子機器。
【手続補正２２】
【補正対象書類名】明細書
【補正対象項目名】００３６
【補正方法】変更
【補正の内容】
【００３６】
上記（１４）の電子機器では、表示信号を生成する表示信号生成部と、表示信号生成部によって生成された表示信号に基づいて表示体に表示を行う表示部と、表示信号生成部によって生成される表示信号を表示部に伝送する伝送経路に介挿された結合部とを有し、この結合部は、表示信号生成部からの前記表示信号を無線で送出するための送信用素子および半導体集積基板を含む無線送信部と、この無線送信部から無線で送出された表示信号を受信するための受信用素子および半導体集積基板を含む無線受信部と、を有しており、且つ、これら送信用素子および受信用素子の何れか一方または双方は、各自己が対応する上述の半導体集積基板上に形成されているため、結合部における信号の伝送を無線の伝送路を通して行なう方式の利点を備えている上に、更に、結合部の小型化および信頼性の向上が図られ、ひいては、電子機器全体としての小型化および信頼性の向上が図られる。
【手続補正２３】
【補正対象書類名】明細書
【補正対象項目名】００３７
【補正方法】変更
【補正の内容】
【００３７】
（１５）表示対象となるデータを表す表示信号を生成する表示信号生成部と、
前記表示信号生成部によって生成された表示信号に基づいて基板上に形成された表示体に表示を行う表示部と、
前記表示信号生成部によって生成される表示信号を前記表示部に伝送する伝送経路に介挿された結合部とを有する電子機器であって、
前記結合部は、前記表示信号生成部からの当該表示信号を無線で送出するための送信用素子を含む無線送信部と、前記無線送信部から無線で送出された表示信号を受信するための受信用素子を含む無線受信部と、を有し、
前記受信用素子は前記基板上に形成されていることを特徴とする電子機器。
【手続補正２４】
【補正対象書類名】明細書
【補正対象項目名】００３８
【補正方法】変更
【補正の内容】
【００３８】
上記（１５）の電子機器では、表示対象となるデータを表す表示信号を生成する表示信号生成部と、表示信号生成部によって生成された表示信号に基づいて基板上に形成された表示体に表示を行う表示部と、表示信号生成部によって生成される表示信号を表示部に伝送する伝送経路に介挿された結合部とを有し、この結合部は、表示信号生成部からの当該表示信号を無線で送出するための送信用素子を含む無線送信部と、前記無線送信部から無線で送出された表示信号を受信するための受信用素子を含む無線受信部と、を有し、前記受信用素子は前記基板上に形成されているため、結合部における信号の伝送を無線の伝送路を通して行なう方式の利点を備えている上に、更に、結合部の大きさが制限されている条件下でも比較的大きな受信用素子を実装することが可能であり、表示信号の伝送に適用する周波数の帯域幅を比較的広く確保することができる。このため、設計の自由度が広がり、多様な要請に的確に応えることが可能になる。